(57)【要約】      （修正有）【課題】装着を簡易にするとともに、装着者に圧迫感を与えず、段差のない自然なボディラインを作り出す衣服を提供する。【解決手段】装着者の上半身に着る衣服であって、伸縮性のある布で形成され、装着者の胴部を覆う、筒状の胴着部１と、伸縮性のある布で胴着部１と連続的に形成された一対の筒状をなし、胴着部の軸方向に対してそれぞれ平行となるように、胴着部から延設される一対の腕着部２，２と、一対の腕着部２，２が胴着部１に対して接続され、且つ一対の腕着部２，２が相互に隣接する部位に開口形成された胸部開口部３とを備える。【選択図】図３
0003185276.tif 000002
【実用新案登録請求の範囲】
【請求項１】
装着者の上半身に着る衣服であって、
伸縮性のある布で形成され、前記装着者の胴部を覆う、筒状の胴着部と、
伸縮性のある布で前記胴着部と連続的に形成された一対の筒状をなし、前記胴着部の軸方向に対してそれぞれ平行となるように、前記胴着部から延設される一対の腕着部と、
前記一対の腕着部が前記胴着部に対して接続され、且つ前記一対の腕着部が相互に隣接する部位に開口形成された胸部開口部と
を備えることを特徴とする衣服。
【請求項２】
前記胴着部の下端側において、前記胴着部に連続的に接続された環状をなす腹着部をさらに備えていることを特徴とする請求項１に記載の衣服。
【考案の詳細な説明】
【技術分野】
【０００１】
本考案は、装着者の上半身に着る衣服に関する。
【背景技術】
【０００２】
人間は歳を重ねるにつれて、老化現象によりシワが目立つようになるとともに、ヒップラインや下腹部など身体各部のたるみが生じる。このようなシワやたるみは、特に、女性にとって気になるものである。
【０００３】
このような問題に対して、例えば、身体のたるみを矯正する矯正用ガードル、ブラジャー、ボディスーツなどが提案されている（例えば、特許文献１）。特許文献１に開示された技術は、セラミックス練込み糸より編成して成るセラミックス生地で形成した体型補正用ボディスーツである。
【先行技術文献】
【特許文献】
【０００４】
登録実用新案公報３０５９０４２号
【考案の概要】
【考案が解決しようとする課題】
【０００５】
しかしながら、このようなボディースーツは、脇の下部分やウエスト部を締め付けて矯正を行うため、装着者に過大な圧迫感を与えてしまい、長期間装着することができないという問題もある。
【０００６】
また、特許文献１に開示された矯正用下着は、袖が胴部の軸方向に対して斜め方向を向いた状態で形成されているため、装着時に袖を通すことが困難であるという問題もある。
【０００７】
そこで、本考案は、上記のような問題を解決するものであり、装着を簡易にするとともに、装着者に圧迫感を与えず、段差のない自然なボディラインを作り出す衣服を提供することを目的とする。
【課題を解決するための手段】
【０００８】
上記課題を解決するために、本考案は、装着者の上半身に着る衣服であって、伸縮性のある布で形成され、装着者の胴部を覆う、筒状の胴着部と、伸縮性のある布で胴着部と連続的に形成された一対の筒状をなし、胴着部の軸方向に対してそれぞれ平行となるように、胴着部から延設される一対の腕着部と、一対の腕着部が胴着部に対して接続され、且つ一対の腕着部が相互に隣接する部位に開口形成された胸部開口部とを備えることを特徴とする。
【０００９】
ここで、伸縮性のある布とは、伸縮性を有する素材であればよく、ポリウレタン等の弾性繊維を単糸で用いてもよく、また、この弾性繊維と、非弾性繊維（綿等の天然繊維、人絹や酢酸繊維等の人造繊維、ナイロンやポリエステル系等の合成繊維（仮撚加工糸等をも含む）、或いはこれらに類する糸素材）とを用いて交編織成したものが含まれ、最も好適には、ナイロンと、ポリウレタンを交編したストッキング素材が使用される。
【００１０】
このような本考案によれば、装着者の胴部を覆う胴着部によって、ウエスト部分を引き締めるとともに、一対の腕着部によって、二の腕（上腕）や脇の下を引き締めることができ、段差のない自然なボディラインを作り出すことができる。この際、胴着部及び腕着部は、ストッキング等の伸縮性のある布で形成されているので、ストッキングをはいている感覚で装着することができ、装着者に対して圧迫感を与えることはない。したがって、例えば、椅子に着席する場合や、トイレ使用時でも、腹部に過度な圧迫感を与えることはないため、体型を崩さずに長時間に亘って楽に装着することができる。
【００１１】
また、本考案において、一対の腕着部は、胴着部の軸方向に対してそれぞれ平行となるように、胴着部から延設されているので、当該衣服を着る際、両腕を挙げた状態のまま一対の腕着部に腕を通すことができるため、簡易に当該衣服を装着することができる。
【００１２】
ここで、例えば、胴着部及び腕着部として、ストッキング等の伸縮性のある薄地で形成すれば、重ね着が可能となる。そのため、本考案における衣服の上から通常どおりの衣服を装着しても、厚着にならず、お洒落をして外出することができる。また、保温効果も有するため、冷房が強い場所であっても身体を冷やすことを防止できる。さらに、この布として、肌色の素材を用いることで、肌のシワ等を覆い隠しながら、肌を露出させているように見せることもでき、薄着で外出することもできる。
【００１３】
また、本考案によれば、一対の腕着部が相互に隣接する部位に開口形成された胸部開口部を有しているので、乳房を胸部開口部から出すことで、乳房を寄せ上げることができ、バストアップさせることができる。
【００１４】
上記考案において、胴着部の下端側において、胴着部に連続的に接続された環状をなす腹着部をさらに備えていることが好ましい。この場合には、お腹周りを覆う腹着部を備えているため、お腹のたるみを引き締めることができるとともに、お腹の冷えを防止することができる。
【考案の効果】
【００１５】
以上述べたように、この考案によれば、衣服を着ることで、装着者に対して圧迫感を与えることなく、身体のたるみ部分を引き締め、段差のない自然なボディラインを作り出すことができる。
【図面の簡単な説明】
【００１６】
【図１】（ａ）は、実施形態に係る衣服の装着前における形状を示す正面図であり、同図（ｂ）は、実施形態に係る衣服の装着時における形状を示す正面図である。
【図２】（ａ）は、実施形態に係る胸部開口部と装着者のブラジャーとの位置関係を示す説明図であり、同図（ｂ）は、実施形態に係る衣服各部の寸法を示す説明図である。
【図３】（ａ）及び（ｂ）は、実施形態に係る衣服を装着した状態を斜め前方より示す斜視図である。
【図４】（ａ）及び（ｂ）は、実施形態に係る衣服を装着した状態を斜め後方より示す斜視図である。
【考案を実施するための形態】
【００１７】
以下に添付図面を参照して、本考案に係る衣服１０の実施形態を詳細に説明する。図１（ａ）は、本実施形態に係る衣服１０の装着前における形状を示す正面図であり、同図（ｂ）は、本実施形態に係る衣服１０の装着時における形状を示す正面図である。また、図２（ａ）は、本実施形態に係る胸部開口部と装着者のブラジャーとの位置関係を示す説明図であり、同図（ｂ）は、実施形態に係る衣服各部の寸法を示す説明図である。図３及び図４は、本実施形態に係る衣服を装着した状態を斜視図である。
【００１８】
本実施形態に係る衣服１０は、装着者の上半身に着る衣服１０であって、胴着部１と、一対の腕着部２，２と、腹着部４とから構成されている。
胴着部１は、図１に示すように、装着者の胴部を覆う筒状の部材であり、前見頃と後見頃とが一体的に形成されている。一対の腕着部２，２は、装着者の腕を覆う部材であり、胴着部１と連続的に形成された一対の筒状をなしている。
【００１９】
これら胴着部１及び一対の腕着部２，２は、伸縮性のある布で一体的に形成されており、本実施形態では、パンティストッキングに用いられるナイロン及びポリウレタン弾性繊維を交編したもので形成されている。そして、本実施形態において、胴着部１及び一対の腕着部２，２は、図１（ａ）に示すように、脚部及び下半身を覆うパンティストッキングを逆さにした状態と同形状となっている。すなわち、一対の腕着部２，２は、胴着部１の軸方向に対してそれぞれ平行となるように、胴着部１から上部に向かって延設されている。そして、本実施形態においては、一対の腕着部２，２は、１５デニール程度の繊維で形成され、胴着部１は、２０デニール程度の繊維で形成されているものとする。
【００２０】
このように一対の腕着部２，２は、１５デニール程度の細い繊維で形成されているため、図１（ｂ）に示すように、腕着部２，２を下方に向けた形状とすることが容易となっており、装着者の肩に対して圧迫感を与えることはない。また、薄い布で形成されているため、加工が用意となっているため、一対の腕着部２，２の長さは適宜調整することができ、例えば、腕着部２，２の長さを５分袖、７分袖とすることが可能となっている。
【００２１】
また、一対の腕着部２，２において、装着者の上腕が位置する上腕部２１は、従来のストッキング部材の周長よりも短くなるように形成されている。すなわち、従来のパンティストッキングを用いた場合には、上腕部２１の余った部分を裁ち、再度縫合するようになっている。本実施形態では、図１（ａ）に示すように、一対の腕着部２，２が上方に向いた状態において、上腕部２１の外側部分に縫い目２ａが形成されるように縫合する。
【００２２】
これにより、図１（ｂ）に示すように、装着時には、縫い目２ａが脇側に位置するため、目立つことがない。なお、本実施形態では、上腕部２１のみ周長を短くしたが、本考案は、これに限定するものではなく、例えば、腕着部２のうち、肘から手までの前腕を覆う部分についても調整可能である。この場合であっても、腕着部２に形成される縫い目を、装着時における脇側（内側）に位置するように形成させる。
【００２３】
胴着部１には、その上部に胸部開口部３が設けられている。より具体的に、胸部開口部３は、一対の腕着部２，２が胴着部１に対して接続され、且つ一対の腕着部２，２が相互に隣接する部位が開口されて形成されている。
【００２４】
胸部開口部３は、着装者の頭部よりも大きい形状をなし、胸部開口部３から装着者の首が挿通可能となっている。この胸部開口部３の幅としては、ブラジャー５を装着した際、ブラジャーの肩紐５２が開口部分に含まれるように設定される。より具体的には、図２（ａ）に示すように、装着時において、肩紐５２から胸部開口部３の縁部分までの寸法Ｇが約３ｃｍとなるように形成させる。
【００２５】
また、胸部開口部３の下部縁部分３ｂは、乳房の付け根（乳房下部）もしくは、ブラジャーの下部５１よりも高い位置になるように設定されており、乳房を外部に出すことが可能となっている。より具体的には、図２（ａ）に示すように、装着時において、ブラジャー５の下部５１から胸部開口部３の下部縁部分３ｂまでの寸法Ｆが約３ｃｍとなるように形成させる。
【００２６】
このような構成により、乳房を胸部開口部３から出すことで、乳房を寄せ上げて、バストアップさせることができる。なお、胸部開口部３の下部縁部分３ｂ及び側部縁部分３ｃは、ほつれに耐え得るように縁取りされていてもよい。また、これらの縁部分にゴム等の伸縮部材を縫合してもよい。
【００２７】
この際、下部縁部分３ｂに設けられる伸縮部材は、首方向に向かって縮みように縫合し、側部縁部分３ｃに設けられる伸縮部材は、反対側の肩方向に向かって縮むように縫合する。これにより、乳房を胸部開口部３から出した場合、伸縮性のゴムによってさらに乳房を寄せ上げることができる。なお、ブラジャー５の下部５１から胸部開口部３の下部縁部分３ｂまでの間に、胸パットを配置させてもよい。
【００２８】
また、胴着部１の後見頃上部には、背部の一部を開口させる背部開口部３ａが形成されている。本実施形態において、背部開口部３ａは、従来のパンティストッキングの股下部分のマチを削除することで形成可能となっており、図４（ａ）及び（ｂ）に示すように、装着時には、背部開口部３ａから背中の一部を露出させている。この背部開口部３ａを形成させることで装着時に布幅にゆとりを持たせている。なお、胸部開口部３及び背部開口部３ａの形状は、略Ｖ字状もしくは略Ｕ字状など、種々の形状とすることができる。
【００２９】
さらに、本実施形態において、胴着部１には、前見頃にマチ１１が形成されている。そして、本実施形態において、胸部開口部３は、このマチ１１に沿って切り取られることで形成される。このように胴着部１の前見頃にマチ１１が形成されていることで、乳房の下部を適度に引き締めるとともに形成されたマチの伸縮性により、より乳房を寄せ上げ、バストアップさせることができるようになっている。なお、本実施形態においては、前見頃にマチ１１が形成されたストッキングを用いたが、例えば、後見頃にマチが形成されていてもよく、また、前見頃及び後見頃にマチが形成されていないストッキングを用いてもよい。
【００３０】
胴着部１の下端側には腹着部４が形成されている。腹着部４は、装着者の腹部を覆う部材であり、胴着部１と一体的に形成されていてもよく、また、胴着部１とは、別素材を用い、連結ベルト４１を介して、胴着部１と連続的に形成されていてもよい。なお、連結ベルト４１とは、ゴム糸など、胴着部１等の素材よりも伸縮性の高い生地で形成された環状の部材である。
【００３１】
ここで、胴着部１と一体的に形成されている場合には、ウエストの所定位置に連結ベルトを縫合する。一方、別素材で胴着部１と連続的に形成させる場合には、胴着部１と連結ベルト４１を縫合するとともに、腹着部４と連結ベルト４１とを縫合させて、胴着部１と腹着部４とを連結させる。
【００３２】
腹着部４は、適度の保温性と通気性とを有するとともに、所定の強度を備える厚肉の軟質布地が用いられ、例えば、綿、麻等のなどの天然繊維や、ナイロン及びポリウレタンなどの合成繊維であって、２５デニール程度の繊維を用いるものとする。このように所定の強度を備えることで、腹着部４をズボンの中に入れる際に繊維が切断されてしまうことを防止することができる。
【００３３】
そして、腹着部４の外縁には、ゴム糸など、胴着部１等の素材よりも伸縮性の高い生地で形成された裾部４２が形成されており、下腹部又は腰に密着するようになっている。腹着部４の長さとしては、少なくとも、下着の上部を覆う程度の長さを有しており、ズボンを装着し、屈んだり、着席した際、下着が外部に露出することを防止できるようになっている。
【００３４】
このような構成を有する衣服１０の寸法としては、装着者のサイズに応じて、種々変更可能である。その一例としては、図２（ｂ）に示すように、腕着部２における肘付近の幅Ａを５ｃｍ、腕着部２における肘付近の幅Ｂを６ｃｍ、胸部開口部３の幅Ｃを１２ｃｍ、胸部開口部３の長さＤを１０ｃｍ、背部開口部３ａの下部から胸部開口部３の下部までの長さＦを５ｃｍ、胸部開口部３の下部３ｂから連結ベルト４１までの丈Ｅを１５ｃｍに設定する。
【００３５】
このような衣服１０を装着する場合には、先ず、図３（ａ）及び図４（ａ）に示すように、両腕を挙げた状態のまま一対の腕着部に腕を通すとともに、胸部開口部３から頭を通す。そして、その後、乳房を胸部開口部３から外方に出す。
【００３６】
装着後には、図３（ｂ）及び図４（ｂ）に示すように、両腕を下げることで、胴部及び腕部を引き締めて体型をスリムにさせることができるとともに、乳房を寄せ上げて、バストアップさせることができる
（製造方法）
以上説明した衣服１０は、以下の手順により製造される。なお、本実施形態では、市販のパンティストッキングを加工して、本考案の衣服１０を製造する場合を例に説明する。
【００３７】
先ず、市販されているパンティストッキングを上下逆さにし、従来の股下のマチ部分９を切り取って、マチ部分９が切り取られた状態とする。このマチ９を切り取ることで、背部開口部３ａが形成される。次いで、股下部分から前見頃部分を切り取り、胸部開口部３を形成させる。具体的には、一対の腕着部２，２と胴着部１との接続部分から胴着部１の軸方向と略平行に胴着部１を切断するとともに、胴着部１の軸方向と略垂直方向に切断して、略長方形状の胸部開口部３を形成させる。なお、この際、胸部開口部３及び背部開口部３ａが形成された縁部分は縁取り加工を行う。
【００３８】
次いで、一対の腕着部２，２の先端部分を切断して、開口部を形成させる。この際、腕着部２は、５分袖又は７分袖など所定の長さとなるように調整するとともに、切断された部分を縁取りする。また、装着者の腕の太さに応じて、上腕部２１の一部を切り取り、開口部分を再縫合する。この際、ユーザーは、上腕部２１の縫い目が、上腕部２１の外側（装着時には内側となる部分）に位置するように、上腕部２１の外側部分を切り取る。その後、胴着部１の下端部に、連結ベルト４１を介して管状をなす腹着部４を縫い付けて連結させる。また、腹着部４の下端外縁には、ゴムなどの伸縮性のある裾部４２を形成させる。なお、胴着部１と腹着部４とが一体となっている場合には、ウエスト部分に連結ベルト４１を縫い付ける。
【００３９】
（作用・効果）
このような本実施形態によれば、装着者の胴部を覆う胴着部１によって、ウエスト部分を引き締めるとともに、一対の腕着部２，２によって、二の腕（上腕）や脇の下を引き締めることができ、段差のない自然なボディラインを作り出すことができる。この際、胴着部１及び腕着部２は、ストッキング等の伸縮性のある布で形成されているので、ストッキングをはいている感覚で装着することができ、装着者に対して圧迫感を与えることはない。したがって、従来のボディースーツのように、例えば、椅子に着席する場合や、トイレ使用時でも、腹部に過度な圧迫感を与えることはないため、体型を崩さずに長時間に亘って楽に装着することができる。
【００４０】
また、胴着部１及び腕着部２，２は、同一素材で一体形成されているので、肩及び脇部分に縫い目が形成されることがないため、縫合線によって装着感が損なわれたり、肩こり、むくみ、又は疲れ等が生じ難くなっている。また、このような裁断・縫製作業が簡単で、生産効率がよいという利点も有する。
【００４１】
また、胴着部１及び腕着部２，２は、薄地の布で形成されているため、重ね着が可能となる。そのため、本実施形態における衣服の上から通常どおりの衣服を装着しても、厚着にならず、お洒落をして外出することができる。また、保温効果も有するため、冷房が強い場所であっても身体を冷やすことを防止できる。さらに、この布として、肌色の素材を用いることで、肌のシワ等を覆い隠しながら、肌を露出させているように見せることもでき、薄着で外出することもできる。
【００４２】
また、本実施形態において、一対の腕着部２，２は、胴着部の軸方向に対してそれぞれ平行となるように、胴着部から延設されているので、当該衣服１０を着る際、両腕を挙げた状態のまま一対の腕着部２，２に腕を通すことができるため、簡易に当該衣服１０を装着することができる。
【００４３】
また、本実施形態では、胴着部１の下端側において、胴着部１に連続的に接続された環状をなす腹着部４を備えているので、お腹周りを覆う、お腹のたるみを引き締めることができるとともに、お腹の冷えを防止することができる。また、従来のように、ガードルがないため、着席時に下半身を圧迫させることがなく、長時間座ることができる。なお、本実施形態では、ストッキングと同様な素材で形成させているので、洗濯が容易で、かつ、脱色したり、変形したりするを防止することができる。
【００４４】
（変形例）
本考案による衣服１０は、実施例の記載に限定されることなく、本考案の要旨を逸脱しない範囲内で種々の変形が可能である。例えば、上述した実施形態において、胴着部１及び一対の腕着部２，２は、ストッキングの素材を用いたが、本考案は、これに限定するものではなく、装着者の身体周囲にフィットするような伸縮性を有すればよく、ポリウレタン等の弾性を有する繊維を単糸として用いてもよく、また、弾性繊維と、非弾性繊維（綿等の天然繊維、人絹や酢酸繊維等の人造繊維、ナイロンやポリエステル系等の合成繊維（仮撚加工糸等をも含む）、或いはこれらに類する糸素材）とを交編織成したものが含まれる。また、各部の繊維の太さ及びその寸法は、上述した実施形態に限定するものでなく、変更可能である。
【００４５】
さらに、これらの布には、付加機能として、臭効果がある薬品を繊維に加工する消臭加工、紫外線吸収剤を繊維に加工するＵＶ加工、糸の交点を溶かして糸通しを接着するノンラン加工、繊維の間に香成分を接着する香り付き加工を施してもよい。
【００４６】
上述した実施形態では、市販のパンティストッキングに加工を施すことで、衣服１０を形成させたが、例えば、工場等で製造器を用いて製造可能である。次いで、本考案の衣服１０を製造する方法について説明する。
【００４７】
先ず、初めに、装置を用いて、ポリウレタン糸にナイロン糸をらせん状に巻きつけるカバリング工程を行い、その後、形成された糸を用いて、筒状の腕着部２及び胴着部１を編み上げていく編立工程を行う。編立工程後には、編生地は真空状態の蒸気釜で圧縮し、寸法や編目を一定に整えるプリセット工程を行う。
【００４８】
その後、２つの腕着部２，２と胴着部１とを縫い合わせる縫製工程を行う。縫製工程では、一対の腕着部２，２は、胴着部１の軸方向に対してそれぞれ平行となるように、胴着部１から延設されるように縫い合わせる。なお、この際、胴着部１には、マチ１１部分を形成させるようにする。
【００４９】
縫製工程の後には、胴着部１に胸部開口部３及び背部開口部３ａを形成させる胸部開口工程を行う。なお、この胸部開口工程は、胴着部１を切り抜いて形成させてもよく、また、縫製工程において、胸部開口部３及び背部開口部３ａが形成されるように胴着部１を縫い合わせてもよい。
【００５０】
そして、胴着部１の下端側に、連結ベルト４１を介して腹着部４を接続するとともに、腹着部４の外縁を裾部４２で縁取りする腹着形成工程を行うことで衣服１０が形成される。なお、腹着部４を胴着部１と一体的に形成させる場合には、縫製工程において、胴着部１と同時に腹着部４を形成させ、その後、連結ベルト４１をウエスト部分に縫い付ける。
【００５１】
このような変更例によれば、パンティストッキングを製造する既存の機器を用いて、衣服１０を製造することができるため、安価に衣服を製造することができる。
【符号の説明】
【００５２】
１…胴着部
２…腕着部
３…胸部開口部
３ａ…背部開口部
３ｂ…下部縁部分
４…腹着部
５…ブラジャー
９…股下マチ
１０…衣服
１１…胴着部のマチ
２１…上腕部
４１…連結ベルト
４２…裾部
５１…ブラジャー下部
５２…肩紐
【図１】
0003185276.tif 000003
【図２】
0003185276.tif 000004
【図３】
0003185276.tif 000005
【図４】
0003185276.tif 000006